(57)【特許請求の範囲】
【請求項１】
気流中に含まれている微粉塵やミスト等の粒子を高電圧荷電部で荷電し、次いで、これ等荷電された粒子を集塵部で捕集するように構成した２段式電気集塵装置であって、
上記高電圧荷電部と集塵部のいずれか一方又は両方を、給電部材に支持された複数の荷電極と、接地部材に支持された複数の接地電極とを間隔をあけて交互に並設した構成と成し、これ等給電部材と接地部材の間を碍子等の絶縁手段によって互いに保持させ、且つ、この絶縁手段を主気流から外れた位置に設ける一方、主気流から外れて該絶縁手段に向けて流れ込む気流の流路空間を構成して、上記給電部材への電圧の印加により、流路空間に対して該気流中に含まれている微粉塵やミスト等の粒子を上記接地部材に捕集させる電界を生成するように構成すると共に、上記流路空間に電界を生成するための電源と、上記荷電極に荷電する電源とを同一の電源にて構成したことを特徴とする電気集塵装置。
【請求項２】
接地電極を支持する接地部材の全体を、両側に席板を備えるフレーム状に造り、荷電極を支持した給電部材の外端部を上記席板の外側に導出して、その外端部を給電板に連設した高電圧極板に取付け、且つ、この給電板を上記席板に碍子を介して取付けて絶縁状態に保持すると共に、給電板の一部又は給電板に連設した高電圧極板を上記の席板に近接させて設けることにより、主気流から上記席板の外側に外れて上記碍子に向かう気流の流路空間を構成して、上記給電板への電圧の印加により、流路空間に対して該気流中に含まれている微粉塵やミスト等の粒子を上記席板に捕集させる電界を生成するように構成したことを特徴とする請求項１記載の電気集塵装置。
【請求項３】
高圧電源の一方の極に接続した集塵室の内部に、高圧電源の他方の極に接続された電極線を張設することにより、集塵室の内部空間における気流中に含まれている微粉塵やミスト等に対する荷電と集塵を行うように構成した１段式電気集塵装置であって、
上記電極線の両端を碍子等の絶縁手段を介して集塵室の内壁面で夫々支持し、これ等各絶縁手段には、各絶縁手段をカバーすることによって上記の集塵室内を流れる気流中に含まれている微粉塵やミスト等の該絶縁手段への付着を防止する導電体製の保護傘体を取付けると共に、これら各保護傘体を上記の電極線に接続し、且つ、各保護傘体の先端縁を集塵室の内壁面に近接させて設けることにより、集塵室の内部空間から上記絶縁手段に向かう気流の流路空間を構成して、上記集塵室と電極線への電圧の印加により、流路空間に該気流中に含まれている微粉塵やミスト等を集塵室に捕集させる電界を生成するように構成したことを特徴とする電気集塵装置。
【発明の詳細な説明】
【０００１】
【発明の属する技術分野】
本発明は、高電圧が印加された集塵エレメントにより、気流中より微粉塵やミスト等のダスト粒子を除去（捕集）することができる電気集塵装置に関するものであって、具体的には、高圧電極を保持する碍子等の絶縁手段にダスト類が付着することを防止する機能を備えた電気集塵装置に関するものである。
【０００２】
【従来の技術】
電気集塵装置の高電圧電極を支える碍子にダストを含んだ気流が流れ込むと、碍子に粉塵や水分等が付着し、その結果、絶縁性が低下して沿面放電したり、高圧電流を短絡させたりする不具合が発生するため、従来より、上記碍子に対するダスト類の付着を防止するための各種の対策が講じられている。
【０００３】
例えば、特開平５−２００３２５号公報には、塵埃が碍子等に流れ込まないようにカバーを設けることが開示されており、また、特開平６−３３５６３８号並びに特開平９−１１９６５８号公報には、碍子等を乾燥させて粉塵が付着しにくい構造にすることが記載されている。
【０００４】
【発明が解決しようとする課題】
しかし、上記１番目の公報に記載されているカバーを設ける解決策は、各電極を支える碍子に対して出来るだけ塵埃が流れ込まないようにすることはできても、各電極空間の確保、沿面放電からの防御等の理由から、碍子の部分を完全に気流が流通しない状態にすることができないため、碍子の汚れを確実に防止することはできなかった。
【０００５】
また、上記２番目と３番目の公報のように碍子を乾燥状態に維持するには、ヒータとか温風装置を用いて乾燥させる必要があるため、ランニングコストのアップや設備費のアップにつながる問題があった。
【０００６】
従って本発明の技術的課題は、安上がりで簡単な構造の装置を用いて、碍子に対する微粉塵やミスト等の付着を確実に防止することができる粉塵付着防止機能を備えた電気集塵装置を提供することである。
【０００７】
【課題を解決するための手段】
上記の技術的課題を解決するために本発明で講じた手段は以下の如くである。
【０００８】
（１）気流中に含まれている微粉塵やミスト等の粒子を高電圧荷電部で荷電し、次いで、これ等荷電された粒子を集塵部で捕集するように構成した２段式電気集塵装置であって、 上記高電圧荷電部と集塵部のいずれか一方又は両方を、給電部材に支持された複数の荷電極と、接地部材に支持された複数の接地電極とを間隔をあけて交互に並設した構成と成し、これ等給電部材と接地部材の間を碍子等の絶縁手段によって互いに保持させ、且つ、この絶縁手段を主気流から外れた位置に設ける一方、主気流から外れて該絶縁手段に向けて流れ込む気流の流路空間を構成して、上記給電部材への電圧の印加により、流路空間に対して該気流中に含まれている微粉塵やミスト等の粒子を上記接地部材に捕集させる電界を生成するように構成すると共に、上記流路空間に電界を生成するための電源と、上記荷電極に荷電する電源とを同一の電源にて構成すること。（請求項１）
【０００９】
（２）  接地電極を支持する接地部材の全体を、両側に席板を備えるフレーム状に造り、荷電極を支持した給電部材の外端部を上記席板の外側に導出して、その外端部を給電板に連設した高電圧極板に取付け、且つ、この給電板を上記席板に碍子を介して取付けて絶縁状態に保持すると共に、給電板の一部又は給電板に連設した高電圧極板を上記の席板に近接させて設けることにより、主気流から上記席板の外側に外れて上記碍子に向かう気流の流路空間を構成して、上記給電板への電圧の印加により、流路空間に対して該気流中に含まれている微粉塵やミスト等の粒子を上記席板に捕集させる電界を生成するように構成すること。（請求項２）
【００１０】
（３）高圧電源の一方の極に接続した集塵室の内部に、高圧電源の他方の極に接続された電極線を張設することにより、集塵室の内部空間における気流中に含まれている微粉塵やミスト等に対する荷電と集塵を行うように構成した１段式電気集塵装置であって、上記電極線の両端を碍子等の絶縁手段を介して集塵室の内壁面で夫々支持し、これ等各絶縁手段には、各絶縁手段をカバーすることによって上記の集塵室内を流れる気流中に含まれている微粉塵やミスト等の該絶縁手段への付着を防止する導電体製の保護傘体を取付けると共に、これら各保護傘体を上記の電極線に接続し、且つ、各保護傘体の先端縁を集塵室の内壁面に近接させて設けることにより、集塵室の内部空間から上記絶縁手段に向かう気流の流路空間を構成して、上記集塵室と電極線への電圧の印加により、流路空間に該気流中に含まれている微粉塵やミスト等を上記集塵室に捕集させる電界を生成するように構成すること。（請求項３）
【００１１】
上記（１）で述べた請求項１に係る手段によれば、碍子等の絶縁手段が主気流から外れた位置に設けられており、而かも、微粉塵やミスト等を含んだ気流が主気流（流路）から外れて上記絶縁手段に至る流路空間には電界が生成されているため、絶縁手段に向けて流れる気流中の微粉塵やミスト等は途中でアース側に捕集されて絶縁手段まで到達しないから、碍子等をきれいな状態に保って、その絶縁機能をいつまでも良好な状態に維持することを可能にする。
【００１２】
更に上記（１）で述べた請求項１に係る手段によれば、流路空間に電界を生成するための電源と、荷電極に荷電する電源とが同一であって、改めて電界生成用に別の電源を設ける必要がないから、比較的安いコストで微粉塵やミスト等の付着を確実に防止することを可能にする。
【００１３】
上記（２）で述べた請求項２に係る手段によれば、フレーム状に造った接地部材の中を流れる主気流から外れて席板の外側に流出した微粉塵やミスト等を含んだ気流は、碍子に至る前にその流路空間、即ち、高電圧極板と席板との狭い間隔に生成された電界により微粉塵やミスト等が席板側（アース極）に捕集され、次いで、自然落下して捕集されるため、碍子への微粉塵やミスト等の付着を確実に防止することを可能にする。
【００１４】
上記（３）で述べた請求項３に係る手段によれば、集塵室の内部で荷電と集塵を同時に行う１段式電気集塵装置に於いても、保護傘体と、この保護傘体と集塵室の間に生成される電界によって、碍子等の絶縁手段への微粉塵やミスト等の付着を防止することを可能にする。
【００１５】
以上の如くであるから、上記（１）〜（３）の手段によって上述した技術的課題を解決して、前記従来の技術の問題点を解消することができる。
【００１６】
【発明の実施の形態】
以下に、本発明に係る電気集塵装置の実施の形態を図面と共に説明すると、図１は２段式電気集塵装置の全体を示した側面図であって、図中、Ａは電気集塵装置の機体、ＢとＣはその内部ＡＨに引出し自在に収めた高電圧荷電部と集塵部、ＡＳは符号Ｘで示した含塵気流の入口で、ＡＴは符号Ｘ′で示した清浄空気の出口を示す。
【００１７】
図２は上記の高電圧荷電部Ｂを拡大して示した側面図、図３はその正面図、図４と図５は要部を拡大して示した平面図と斜視図であって、これ等の図面に於いて、１Ａと１Ｂは気流の流れる方向に間隔をあけて互いに組付けた前後の接地されたフレーム枠、１Ｃ，１Ｃはその両外側の間隔を塞ぐように設けた左右の席板、６…は上下に設けた取付板６Ａ，６Ｂ（図３〜図５）を夫々上記前側のフレーム枠１Ａの上下部分に取付けることにより、フレーム枠１Ａ，１Ｂのハウジング内部に間隔をあけて並設された複数枚の接地電極板（集塵板）を示す。
【００１８】
また、５…は上下長手方向に多数設けたカシメ部５Ｈ…に、多数本の針５Ｐ…をカシメて取付けることによって構成した荷電極板で、この荷電極板５…は上下両端５Ａ，５Ｂ（図２）を上下の支持部材４Ｔと４Ｓに支持された状態で、上記各接地電極板６…の各間隔内に１本ずつ介在されている。尚、図５に於いて５Ｓ…は各荷電極板５…を吊下げるスプリング、４Ｔａ…は上部の支持部材４Ｔに設けたスプリング５Ｓ…用の懸掛穴を示す。
【００１９】
更に図中、２は上記左右の席板１Ｃ，１Ｃの外側に突出した上記上下の荷電極用支持部材４Ｔ，４Ｓの外端部に取付けた給電板、２Ｋは給電取付板２Ｘに取付けた給電用のスプリングであって、この給電板２は計４個の碍子３…を用いて上記左右の席板１Ｃ，１Ｃの外側に設けた支持板１Ｂ′（図４、図５）側に絶縁状態に固定保持されている。
【００２０】
図４と図５に於いて、２Ａ，２Ｂは上記給電板２の上下に連設した高電圧極板で、上記荷電極用支持部材４Ｔ，４Ｓの外端部がこれ等上下の高電圧極板２Ａ，２Ｂに取付けられており、また、これ等の高電圧極板２Ａ，２Ｂは、上記席板１Ｃとの間に電界を生成できるように、該席板１Ｃの外側面に近接した状態で設けられていて、フレーム枠１Ａ，１Ｂ内を符号Ｘ→Ｘ′の方向に流れる主気流から外れて、図３乃至図５に於いて夫々符号５Ｒで示した流通空間、即ち、上記席板１Ｃと各高電圧極板２Ａ，２Ｂとの隙間に向けて流れ込んで来る気流中に含まれている微粉塵やミスト等の粒子を、各碍子３…に到達する前にアース極、即ち、接地された席板１Ｃ側に捕集する仕組に成っている。
【００２１】
次に、図６は上述した集塵部Ｃの平面図、図７はその正面側から見た斜視図、図８は図６のＺ視部分を拡大して示した断面図であって、これ等の図面に於いて、１０は接地されたフレーム枠、１０′，１０′はフレーム枠１０の左右両側に取付けた席板、１４…はこれ等フレーム枠１０と左右の席板１０′，１０′によって構成される集塵ハウジングの内部に間隔をあけて多数並設した接地電極板  （集塵板）、図８で符号１６で示したのはこれ等各接地された集塵板１４…を間隔的に取付けるスペーサ軸、１６Ｂ…は間隔保持用のカラー、１６Ａは上記の席板１０′にスペーサ軸１６を取付ける締付ネジで、このスペーサ軸１６は実際には上記ハウジング内に４本架設されていて、各接地電極板１４…の接地と間隔保持を果たす仕組に成っている。
【００２２】
更に図中、１５…は上記各接地電極板１４…の間に介在された荷電極板、図８で符号１７で示したのはこれ等各荷電極板１５…を間隔的に取付けるスペーサ軸、１７Ｂ…は間隔保持用のカラー、１７Ａ…は上記席板１０′に穿設した穴１０Ｈから外側に突出した上記スペーサ軸１７の各先端部を、席板１０′の外側に設けた各給電板１１の上下に連設した高電圧極板１１Ｂに取付ける締付ネジ、１３は給電用のスプリング、１４Ａは各接地電極板１４…に設けたスペーサ軸１７用の挿通穴であって、このスペーサ軸１７は実際には上記ハウジング内に計４本架設されており、また、上記の給電板１１は左右の席板１０′，１０′の外側に合計４枚設けられていて、各荷電極板１５…への給電と間隔保持を果す仕組に成っている。
【００２３】
また、１２…は、上記各給電板１１…に設けた取付板１１Ａと、各席板１０′に設けた取付枠１０Ａとの間に取付けた碍子、１２Ａ，１２Ａはその取付ネジであって、これ等の碍子１２…は各給電板１１…を接地された席板１０′に対して絶縁状態に保持すると共に、各給電板１１…の高電圧極板１１Ｂを図８に示す如く上記席板１０′との間に電界を生成できるように、該席板１０′の外側面に近接した状態に支持して、符号Ｘ−Ｘ′の方向に流れる主気流から外れて上記スペーサ軸１７を挿通した穴１０Ｈから符号１１Ｒで示した流通空間に流れ込んで来る気流中に含まれている微粉塵やミスト等を、各碍子１２…に到達する前にアース極、即ち、接地された席板１０′側に捕集するように構成している。
【００２４】
図１乃至図８に示した２段式電気集塵装置は以上述べた如き構成であるから、符号Ｘ−Ｘ′の方向に流れる含塵空気の主気流は、先ず、高電圧荷電部Ｂを通ることによって気流中に含まれている微粉塵やミスト等が荷電され、次いで、集塵部Ｃの接地集塵板１４…にこれ等荷電された微粉塵やミスト等が吸着、捕集されて清浄化されるのであるが、本発明では特に、上記Ｘ−Ｘ′の方向に流れる主気流から外れて高電圧荷電部Ｂ及び集塵部Ｃの各流通空間５Ｒ，１１Ｒの方向に流れ出す気流中にに含まれている微粉塵やミスト等が、各碍子３…、並びに、１２…に到達する前にアース極、即ち、接地された各席板１Ｃと１０′側に捕集されるため、各碍子３…，１２…に対する微粉塵等の付着を防止することができる。
【００２５】
次に、本発明に係る１段式電気集塵装置の実施の形態を図９と図１０の記載に基づいて説明する。
【００２６】
図９は装置全体を説明した構成図、図１０は本発明の要部を拡大して示した構成図であって、図中、２０は含塵空気の供給口と清浄空気の吐出口を設けた集塵室、２１はＤＣ高圧電源で、そのプラス側は集塵室２０に接続されている。
【００２７】
２２と２３は上記集塵室２０の上下に取付けた碍子、２２Ａと２３Ａはこれ等碍子２２，２３の取付台、２４は上下の碍子２２，２３の間に張設したワイヤー電極で、上述したＤＣ高圧電源のマイナス側がこのワイヤー電極２４に接続されていて、供給口２０Ａから送り込まれて来る気流中に含まれている微粉塵やミスト等の粒子をマイナスに帯電させて、これをプラスに帯電されている周囲の集塵室２０側に付着させて集塵する仕組に成っている。
【００２８】
２５と２６は上記上下の碍子２２，２３に夫々取付けた保護傘体で、導電体を用いて造ったこれ等上下の保護傘体２５，２６は、微粉塵やミスト等の粒子が直接碍子２２，２３に付着するのを防止すると共に、その各先端部を電界が生成するように集塵室２０の内壁面に近づけて設けることにより、符号２５Ｒ及び２６Ｒで示した保護傘体２５，２６の先端部と集塵室２０の内壁面との間隔、即ち、流路空間を通って流れ込んで来る気流に含まれている微粉塵やミスト等が、各碍子２２，２３に到達する前にプラスに帯電された集塵室２０の内壁面に吸着、捕集させて、碍子２２，２３の汚染を防止するように構成されている。
【００２９】
【発明の効果】
以上述べた次第で、本発明に係る電気集塵装置によれば、主気流の流通路から外れて外側の流通空間に流出する気流中に含まれている微粉塵やミスト等を、碍子に到達する前にこの流通空間に生成した電界によって接地された席板側、或は、集塵室側に吸着させて分離、捕集することができるため、碍子への微粉塵やミスト等の付着を防止して、絶縁性の低下や沿面放電、並びに、高圧電流の短絡と言った各種不具合の発生を防止することができるものであって、構成が頗る簡単で容易に実施できる点と相俟って、図示したような２段式並びに１段式の各電気集塵装置に用いて洵に好適なものである。
【図面の簡単な説明】
【図１】本発明に係る２段式電気集塵装置の全体を説明した側面図である。
【図２】高電圧荷電部の側面図である。
【図３】高電圧荷電部の正面図である。
【図４】高電圧荷電部の要部を拡大して示した平面図である。
【図５】高電圧荷電部を正面側から見た斜視図である。
【図６】集塵部の平面図である。
【図７】集塵部を正面側から見た斜視図である。
【図８】集塵部の要部を拡大して示した平断面図である。
【図９】本発明に係る１段式電気集塵装置の全体を説明した構成図である。
【図１０】要部の保護傘体を説明した構成図である。
【符号の説明】
Ａ                ２段式電気集塵装置の機体
Ｂ                高電圧荷電部
Ｃ                集塵部
１Ａ，１Ｂ        フレーム枠
１Ｃ              席板
２                給電板
２Ａ，２Ｂ        高電圧極板
３                碍子
４Ｔ，４Ｓ        支持部材
５                荷電極板
５Ｒ              流通空間
６                接地電極板
１０              フレーム枠
１０′            席板
１１              給電板
１１Ｂ            高電圧極板
１１Ｒ            流通空間
１２              碍子
１４              接地電極板
１５              荷電極板
２０              １段式電気集塵装置の集塵室
２１              電源
２２，２３        碍子
２４              ワイヤー電極
２５，２６        保護傘体
２５Ｒ，２６Ｒ    流通空間
【図１】
0003634178.tif 000002
【図２】
0003634178.tif 000003
【図３】
0003634178.tif 000004
【図４】
0003634178.tif 000005
【図５】
0003634178.tif 000006
【図６】
0003634178.tif 000007
【図７】
0003634178.tif 000008
【図８】
0003634178.tif 000009
【図９】
0003634178.tif 000010
【図１０】
0003634178.tif 000011